(57)【特許請求の範囲】
【請求項１】
箱状であり前面に前開口が設けられた郵便受け本体と、
前記前開口の周囲から前方に突出し、前端に前記前開口に通じる投入口を有する口枠部と、
左右方向を軸方向とする回転軸の周りを回転し、前記郵便受け本体の内側に配置されるフラップと、を備え、
前記フラップは、
その上端部に回転中心を有し、前記前開口に後方から近付いて閉塞し且つ、後側に回転することで前記前開口を開放するものであり、
前記フラップは、
前記前開口を閉塞したとき前記前開口に挿入される突出部を有し、
前記突出部の前面は、下側に行く程前側に位置するように傾斜する傾斜面となり、
前記口枠部は、内側の下部に左右方向の全長に亘って設けられる縦面部を有し、
前記口枠部の内側には、その上部で且つ前記縦面部よりも前方に配置され、前記縦面部に向かって発光する照明部が設けられ、
前記照明部は、
前記口枠部における左右方向と平行に配置される導光棒と、
前記導光棒の左右方向の端面から光を入射させる光源と、を備え、
前記導光棒における前記縦面部に向く面が出射面であることを特徴とする郵便受け。
【請求項２】
前記口枠部は、前記縦面部と前記口枠部の底板部における内面との間に形成される水抜き用隙間を有することを特徴とする請求項１に記載の郵便受け。
【請求項３】
前記口枠部の底板部における内面が、前側に行く程下側に位置するように傾斜することを特徴とする請求項１又は請求項２に記載の郵便受け。
【請求項４】
前記縦面部が表札であることを特徴とする請求項１〜３のいずれか一項に記載の郵便受け。
【請求項５】
前記照明部では、前記光源が前記口枠部に熱的に接続され、前記口枠部を介して放熱する構成であることを特徴とする請求項１〜４のいずれか一項に記載の郵便受け。
【発明の詳細な説明】
【技術分野】
【０００１】
本発明は、郵便受けに関する。
【背景技術】
【０００２】
従来、前面に前開口が設けられた箱状の郵便受け本体と、前開口の周囲に設けられた口枠部と、左右方向を軸方向とする回転軸周りを回転するフラップと、を備えた郵便受けが知られている（例えば特許文献１参照）。
【０００３】
フラップは、その上端部に回転中心を有し、後方から前開口を閉塞し且つ、後斜め上方に回転することで前開口を開放する。
【先行技術文献】
【特許文献】
【０００４】
【特許文献１】特開２０１１−１５２４６８号公報
【発明の概要】
【発明が解決しようとする課題】
【０００５】
特許文献１に記載されているフラップは、前開口を閉塞した際、前開口に挿入される側面視矩形状の突出部を有する。
【０００６】
この郵便受けでは、ユーザーが、投函物を口枠部の前端の投入口を通して前開口から郵便受け本体内に投函する際、投函物が突出部に当たることにより、フラップが後斜め上方向に回転する機構となっている。
【０００７】
しかし、投函物が厚みのある（例えば前開口の上下方向の寸法と同じ位の厚み）ものであると、投函物によりフラップを回転させる際、突出部の上角部に投函物が引っ掛かり易いため、投函物の郵便受け本体内への投函が妨げられる虞があった。
【０００８】
本発明は上記従来の問題点に鑑みて発明したものであって、その目的とするところは、投函物を投函し易い、郵便受けを提供することを課題とするものである。
【課題を解決するための手段】
【０００９】
上記課題を解決するために、本発明は、以下のような構成とする。
【００１０】
箱状であり前面に前開口が設けられた郵便受け本体と、前記前開口の周囲から前方に突出し、前端に前記前開口に通じる投入口を有する口枠部と、左右方向を軸方向とする回転軸の周りを回転し、前記郵便受け本体の内側に配置されるフラップと、を備え、前記フラップは、その上端部に回転中心を有し、前記前開口に後方から近付いて閉塞し且つ、後側に回転することで前記前開口を開放するものであり、前記フラップは、前記前開口を閉塞したとき前記前開口に挿入される突出部を有し、前記突出部の前面は、下側に行く程前側に位置するように傾斜する傾斜面となり、前記口枠部は、内側の下部に左右方向の全長に亘って設けられる縦面部を有し、前記口枠部の内側には、その上部で且つ前記縦面部よりも前方に配置され、前記縦面部に向かって発光する照明部が設けられ、前記照明部は、前記口枠部における左右方向と平行に配置される導光棒と、前記導光棒の左右方向の端面から光を入射させる光源と、を備え、前記導光棒における前記縦面部に向く面が出射面であることを特徴とする。
【発明の効果】
【００１１】
本発明の郵便受けでは、フラップに傾斜面が設けられることで、厚みのある投函物を投入しても、投函物に突出部が引っ掛かり難くなり、ユーザーが投函物を投函し易い。
【図面の簡単な説明】
【００１２】
【図１】図１は、本実施形態の郵便受けの斜視図である。
【図２】図２は、本実施形態の郵便受けの縦断面図である。
【図３】図３は、本実施形態のフラップの斜視図である。
【図４】図４は、本実施形態の郵便受けの照明部が設けられた部分の縦断面図である。
【発明を実施するための形態】
【００１３】
以下、本発明を添付図面に示す実施形態に基いて説明する。
【００１４】
本実施形態の郵便受け１は、住宅家屋の外構用の門柱に埋め込まれるようにして取り付けられる。本実施形態の外構には、オープン外構、クローズ外構やセミクローズ外溝が用いられる。
【００１５】
郵便受け１は、図１に示すように、箱状の郵便受け本体２を備える。郵便受け本体２は、天面部２２、一対の側面部２３、底面部２４、正面部２１及び背面部２５を有する略六面体状に形成される。郵便受け本体２は、本実施形態では、直方体状に形成されるが、立方体状でもよい。
【００１６】
ここで、本実施形態において、背面部２５から正面部２１に向かう方向を前方向、その反対方向を後方向、前後方向とは直角な水平方向を左右方向とする。
【００１７】
郵便受け本体２の正面部２１には、図１，２に示すように、その上端部に前開口２１ａが形成される。前開口２１ａは、正面部２１において前後方向に貫通する。前開口２１ａは正面視矩形状となり、左右方向に長く、上下方向に短く形成される。
【００１８】
郵便受け本体２の背面部２５には、図２に示すように、郵便受け本体２の内部から投函物を取出すために取出し部２６が設けられる。取出し部２６は、背面部２５において前後方向に貫通する取出し開口２６ａと、取出し開口２６ａを閉塞又は開放する扉２７と、を有する。
【００１９】
取出し開口２６ａは、背面視矩形状となる。取出し開口２６ａは、本実施形態では、背面部２５の中央部分に形成されるが、その形成される場所は限定されない。すなわち、取出し開口２６ａは、ユーザーが投函物を取出し易い、大きさ且つ場所に形成される。
【００２０】
以下の扉２７に関する詳細な記載では、図２に示すように、扉２７が取出し開口２６ａを閉塞している状態を基準とする。
【００２１】
扉２７は、取出し開口２６ａよりも若干大きく形成される。扉２７は、本実施形態では、矩形状に形成される。扉２７は、郵便受け本体２の一対の側面部２３に架け渡された扉用軸部２３ａに、回転自在に取付けられる。すなわち、扉２７は左右方向を軸方向とする扉用軸部２３ａの周りを回転する。
【００２２】
扉２７の上端部には、軸把持部２７ａが設けられ、扉２７は取出し開口２６ａを後方から覆うように配置される。これにより、扉２７は、後斜め上方に回転することで取出し開口２６ａを開放し、開放した状態から前斜め下方に回転することで取出し開口２６ａを閉塞する。扉２７は、開放状態のとき傾斜姿勢となり、閉塞状態のとき鉛直姿勢となる。
【００２３】
郵便受け１は、図１，２に示すように、左右方向を軸方向とする回転軸の周りを回転し、郵便受け本体２の内側に配置されるフラップ３を備える。フラップ３は、一対の側面部２３の内面に架け渡されて取付けられ、左右方向を軸方向とするフラップ用軸部２３ｂを回転軸とする。フラップ用軸部２３ｂは、本実施形態では、郵便受け本体２の前端部における上端部に配置される。
【００２４】
以下のフラップ３に関する詳細な記載では、図２に示すように、フラップ３が前開口２１ａを閉塞している状態を基準とする。
【００２５】
フラップ３は、前開口２１ａよりも若干大きく形成される。フラップ３は、正面視略矩形状となり、左右方向に長く、上下方向に短く形成される。また、フラップ３は、その上端部に回転中心を有し、前開口２１ａに後方から近付くように配置される。
【００２６】
フラップ３は、図２，３に示すように、その上端部に設けられフラップ用軸部２３ｂに回転可能に支持される軸受け部４と、軸受け部４から連設され前開口２１ａを閉塞又は開放するフラップ本体５と、を有する。
【００２７】
本実施形態のフラップ３では、図３に示すように、その上端部における左右の両端部に一対の軸受け部４が設けられる。なお、軸受け部４の設けられる場所や数は特に限定されない。また、本実施形態の郵便受け１では、郵便受け本体２にフラップ用軸部２３ｂが設けられ、フラップ３に軸受け部４が設けられているが、郵便受け本体２に軸受けを設け、フラップ３に軸を設けてもよい。
【００２８】
軸受け部４は、図３に示すように、フラップ用軸部２３ｂを挿通させる挿通孔４１ｃが形成された軸受け本体４１と、フラップ本体５と軸受け本体４１とを繋ぐ連設部４２と、で設けられる。
【００２９】
軸受け本体４１は、図３に示すように、フラップ３の左右方向の中央側に位置し、前方に開口したＣ字状の中央側円弧状部４１ａを有する。また、軸受け本体４１は、フラップ３の左右方向の外側に位置し、後方に開口したＣ字状の外側円弧状部４１ｂを有する。
【００３０】
このように、本実施形態の軸受け本体４１は、中央側円弧状部４１ａと外側円弧状部４１ｂとで形成されるが、その構成は限定されるものではない。
【００３１】
フラップ３は、フラップ用軸部２３ｂと軸受け部４とにより、フラップ３が後斜め上方に回転することで前開口２１ａを開放し、開放した状態から前斜め下方向に回転することで前開口２１ａを閉塞することができる。フラップ３は、開放状態のとき傾斜姿勢となり、閉塞状態のとき鉛直姿勢となる。
【００３２】
フラップ本体５は、図２，３に示すように、軸受け部４の下端部から下方に向けて連設される基部５０と、基部５０から前方に突出し閉塞時に前開口２１ａに挿入される突出部５２と、を有する。
【００３３】
基部５０は、図２，３に示すように、閉塞時に前開口２１ａの周縁部の後端部に接触する接触部５１を有する。
【００３４】
接触部５１には、図３に示すように、閉塞時に前開口２１ａにおける上縁部の後端部に接触する上縁接触部５１ａと、閉塞時に前開口２１ａにおける下縁部の後端部に接触する下縁接触部５１ｂと、が設けられる。また、接触部５１には、閉塞時に前開口２１ａにおける左縁部及び右縁部の夫々の後端部に接触する一対の左右縁接触部５１ｃが設けられる。
【００３５】
接触部５１が設けられることにより、図２に示すように、前開口２１ａ閉塞時のフラップ３の位置決めが行われる。
【００３６】
突出部５２は、図２，３に示すように、上縁接触部５１ａから前方に向かって連設される上面部５２ａと、下縁接触部５１ｂから前方に向かって連設される下面部５２ｂと、を有する。また、突出部５２は、左右縁接触部５１ｃから前方に向かって連設される一対の側面部５２ｃと、上面部５２ａと下面部５２ｂと側面部５２ｃとに連設される前面部５２ｄと、を有する。
【００３７】
上面部５２ａは、上縁接触部５１ａの前面から垂直に突出する。上面部５２ａは、本実施形態では、図２に示すように、前開口２１ａの前後方向における中間位置まで突出して設けられる。また、上面部５２ａと前開口２１ａの上縁部との間には、フラップ３が回転自在に移動するための隙間６１が形成される。
【００３８】
下面部５２ｂは、下縁接触部５１ｂの前面から垂直に突出する。下面部５２ｂは、本実施形態では、図２に示すように、前開口２１ａの前後方向における前端位置まで突出して設けられる。なお、下面部５２ｂは、前開口２１ａの前端位置よりも前方に突出して設けられてもよい。また、下面部５２ｂと前開口２１ａの下縁部との間には、フラップ３が回転自在に移動するための隙間６２が形成される。
【００３９】
上記したように、下面部５２ｂは上面部５２ａよりも前方に突出して設けられる。
【００４０】
側面部５２ｃは、図３に示すように、左右縁接触部５１ｃから垂直に突出する。側面部５２ｃの上端部は上面部５２ａの突出先端まで突出し、側面部５２ｃの下端部は下面部５２ｂの突出先端まで突出する。そして、側面部５２ｃの前端部は、下側に行く程前側に位置するように傾斜して設けられる。
【００４１】
前面部５２ｄの前面は、突出部５２における前面となる。前面部５２ｄの前面は、本実施形態では、図２，３に示すように、下側に行く程前側に位置するように傾斜する傾斜面５２ｅとなる。
【００４２】
傾斜面５２ｅの傾斜角度（上面部５２ａと下面部５２ｂとの突出長さの差と、突出部５２の上下長さと、から求められる傾斜角度）は、本実施形態では、側面部５２ｃの前端部の傾斜角度と等しく設けられる。
【００４３】
ここで、突出部５２において、上面部５２ａと下面部５２ｂと側面部５２ｃと前面部５２ｄとの連設部分には面取りが施されることが好ましい。
【００４４】
本実施形態のフラップ３では、図２に示すように、その前面が傾斜面５２ｅとなっているので、突出部５２の上角部が下角部よりも後方に位置する。ここで、ユーザーが厚みのある投函物でフラップ３を後側に回転させたとき、まず鉛直姿勢のフラップ３の突出部５２の下端部に投函物が接触する。その後、傾斜姿勢となるフラップ３の傾斜面５２ｅに接触していく。
【００４５】
このとき、突出部５２の下角部は、フラップ３の回転に伴い、投函物から離れていく。そして、突出部５２の上角部は、突出部５２の下角部の位置よりも後方に位置するので、投函物が接触し難くなっており、投函物に突出部５２の上角部が引っ掛かり難い。すなわち、フラップ３の前面部５２ｄの前面が傾斜面５２ｅとなっているため、前面部５２ｄの前面が垂直面の場合と比較して、傾斜姿勢となったときのフラップ３の位置が高い位置となり、投函物に突出部５２の上角部が引っ掛かり難くなっている。
【００４６】
また、郵便受け１には、フラップ３を前方に向かって付勢する付勢手段（図示せず）が設けられてもよい。付勢手段は、例えば、コイルばねで構成される。
【００４７】
付勢手段は、そのコイル状に巻き回された線材の長手方向の一端（第一端）と、その反対側の他端（第二端）とが、その接線方向に直線状に伸びるように形成される。第一端と第二端とのなす角度は、所定の角度である。
【００４８】
付勢手段は、コイル中心にフラップ用軸部２３ｂが通された状態で、一端がフラップ３の背面に当接し、他端が郵便受け本体２の内面に当接するようにして取り付けられる。これにより、フラップ３を前開口２１ａの周縁の後端部に向かって付勢することができる。
【００４９】
なお、付勢手段は設けられていなくてもよく、通常時にフラップ３の自重によって前方に回動するように構成されてもよい。
【００５０】
上記したような郵便受け本体２には、図１，２に示すように、前開口２１ａの周囲に口枠部７が設けられる。口枠部７は、例えば、ステンレス等の金属や、合成樹脂によって形成される。口枠部７は、郵便受け本体２の正面部２１の前面から垂直（前方）に向かって突出して設けられる。
【００５１】
口枠部７は、左右方向に長く、上下方向に短く形成される。口枠部７の長手方向の寸法は、正面部２１の左右方向の寸法と同じ寸法に形成される。そして、口枠部７の短手方向の寸法は、前開口２１ａの短手方向の長さよりも長く形成される。また、口枠部７は、正面視において、前開口２１ａの周囲を囲むようにして配置される。
【００５２】
口枠部７は、図１，２に示すように、天板部７１、底板部７２、一対の側板部７３を有する。口枠部７は、前後方向に開口する略筒形状に形成される。ここで、口枠部７の天板部７１の上面は、郵便受け本体２における天面部２２の上面と面一となる。また、口枠部７の側板部７３の外側の面は、郵便受け本体２における側面部２３の外側の面と面一となる。
【００５３】
このような口枠部７が設けられることにより、雨水がフラップ３に付着し難くなる。
【００５４】
口枠部７の前側の開口は、本実施形態では、図２に示すように、郵便受け１の投入口７４となる。また、口枠部７の後側の開口は、前開口２１ａと連通する。これにより、投入口７４は、口枠部７の後側の開口を介して前開口２１ａと通じる。
【００５５】
投函物は、ユーザーにより口枠部７の投入口７４を通って投入された後、フラップ３を後方に押し込んで前開口２１ａを開放させる。そして、投函物は、前開口２１ａを通って、郵便受け本体２の内部に収容される。
【００５６】
口枠部７には、図１に示すように、一対の側板部７３に架け渡される縦面部７５が設けられる。縦面部７５は、左右方向に長く、上下方向に短い。縦面部７５の長手方向の寸法は、口枠部７の内側の左右方向の全長に亙る寸法に等しく形成されている。
【００５７】
縦面部７５は、図１，２に示すように、正面視において、前開口２１ａに重ならないように配置される。縦面部７５は、口枠部７の内側の下部に設けられる。なお、ここで言う口枠部７の下部とは、口枠部７の上下方向の中央よりも下方を意味する。ここで、縦面部７５は、口枠部７の底板部７２における内面７２ａに接していなくてもよい。
【００５８】
縦面部７５は、前面に氏名が表示される表札として用いられることが好ましい。なお、縦面部７５が表札として用いられる場合には、縦面部７５に氏名を直接表示してもよいし、氏名が記載されたプレートを縦面部７５に固定してもよい。
【００５９】
縦面部７５は、例えば、インターフォンを設置するための設置台として用いてもよいし、住所を表示してもよい。また、縦面部７５に、液晶ディスプレイを固定して、デジタル画像や文字を表示させてもよい。このとき、縦面部７５を液晶ディスプレイによって構成してもよい。
【００６０】
縦面部７５と口枠部７の底板部７２における内面７２ａとの間には、図２に示すように、水抜き用隙間７６が形成されることが好ましい。水抜き用隙間７６は、口枠部７の内面７２ａと縦面部７５の下端との間において左右方向の全長に亙って設けられる。
【００６１】
これにより、仮に、縦面部７５を越えて雨水が浸入しても、雨水は、水抜き用隙間７６を通って、口枠部７の外に排出される。また、フラップ３の傾斜面５２ｅを伝ってその下端から流下した雨水も排出される。
【００６２】
また、口枠部７の内面７２ａは、図２に示すように、前側に行く程下側に位置するように傾斜することが好ましい。これにより、内面７２ａに付着した雨水が流下し易くなり、水抜き用隙間７６を通って排出される雨水が、さらに排出され易くなる。
【００６３】
口枠部７の内側には、図２に示すように、その上部で且つ縦面部７５よりも前方に配置され、縦面部７５に向かって発光する照明部８が設けられる。照明部８は、本実施形態では、天板部７１の内面に設置される。
【００６４】
照明部８は、図４に示すように、口枠部７における左右方向と平行に配置される導光棒８１と、導光棒８１の左右方向の端面から光を入射させる光源８２と、筐体９と、を備える。
【００６５】
導光棒８１は、左右方向に長く形成される長尺物であり、例えば、アクリルによって形成される。導光棒８１の左右方向の両端面は入射面８１ａである。また、導光棒８１の上端には光拡散部８１ｂが設けられており、導光棒８１の下方に臨む面が、出射面８１ｃである。この導光棒８１の出射面８１ｃは、縦面部７５に向くように配置される。
【００６６】
光源８２は、入射面８１ａに対向するように配置される。本実施形態の光源８２は、基板８２ａにＬＥＤ８２ｂが実装されて構成される。光源８２は、本実施形態では、導光棒８１の長手方向の両端に夫々一つづつ合計二つ設置されているが、その数は限定されない。
【００６７】
筐体９は、導光棒８１に沿って設けられた本体部９１と、光源８２を保持する光源保持部９２と、を備える。
【００６８】
本体部９１は、下方に開口する断面略Ｃ字状となる。本体部９１の下方の開口には、図４に示すように、透明板９３が取り付けられている。透明板９３は、導光棒８１の出射面８１ｃに対向配置される。
【００６９】
光源保持部９２は、図４に示すように、光源８２を保持する有底筒状の基台部９２ａと、基台部９２ａに取り付けられて導光棒８１を支持する支持部９２ｂと、を有する。
【００７０】
基台部９２ａは、導光棒８１側に向かって開口する。基台部９２ａの奥面には、図４に示すように、光源８２の基板８２ａが接触状態で取り付けられる。この基板８２ａは、光源８２における熱発生部であり、基台部９２ａに熱的に接続される。
【００７１】
また、基台部９２ａは、口枠部７に熱的に接続される。これにより、光源８２から発生した熱は、基台部９２ａを介して口枠部７に伝導し放熱される。
【００７２】
支持部９２ｂは、基台部９２ａに嵌め込み固定される。そして、支持部９２ｂは、導光棒８１の端部を支持する。また、本実施形態の支持部９２ｂは、光源８２を覆う部分を有するので、透明な部材（例えば、アクリル）によって形成される。これにより、光源８２から発せられた光は、支持部９２ｂを透過して入射面８１ａに向かう。
【００７３】
光源８２から発せられた光は、入射面８１ａから入射し、導光棒８１内において全反射を繰り返しながら導光棒８１の長手方向に沿って進行する。このとき、光拡散部８１ｂで反射した光は乱反射し、出射面８１ｃから出射する。この出射面８１ｃから出射した光は、透明板９３を透過して縦面部７５に向かう。これにより、光源８２から発せられた光は縦面部７５を照らす。
【００７４】
上記した構成を備えた郵便受け１では、突出部５２の上角部は、突出部５２の下角部の位置よりも後方に位置し、投函物に突出部５２の上角部が引っ掛かり難いので、ユーザーが郵便受け１に投函物を投函し易くなる。
【００７５】
さらに、上角部が引っ掛かることで発生する虞のある投函物の損傷を抑制することができる。
【００７６】
また、突出部５２の下面部５２ｂが、前開口２１ａの前端位置よりも前方に突出して設けられると、フラップ３にかかり傾斜面５２ｅに沿って流下する雨水が、郵便受け本体２の内部に浸入し難くなる。
【００７７】
本実施形態の郵便受け１は以下の構成を備える。
【００７８】
郵便受け１は、箱状であり前面に前開口２１ａが設けられた郵便受け本体２と、前開口２１ａの周囲から前方に突出し、前端に前開口２１ａに通じる投入口７４を有する口枠部７と、を備える。また、郵便受け１は、左右方向を軸方向とする回転軸の周りを回転し、郵便受け本体２の内側に配置されるフラップ３を備える。フラップ３は、その上端部に回転中心を有し、前開口２１ａに後方から近付いて閉塞し且つ、後側に回転することで前開口２１ａを開放する。フラップ３は、前開口２１ａを閉塞したとき前開口２１ａに挿入される突出部５２を有する。突出部５２の前面は、下側に行く程前側に位置するように傾斜する傾斜面５２ｅとなることを特徴とする。
【００７９】
これにより、厚みのある投函物を投入しても、投函物に突出部５２の上角部が引っ掛かり難いため、投函物を投函し易くなる。
【００８０】
口枠部７は、内側の下部に左右方向の全長に亘って設けられる縦面部７５と、縦面部７５と口枠部７の底板部７２における内面７２ａとの間に形成される水抜き用隙間７６と、を有することが好ましい。
【００８１】
これにより、雨水除けの縦面部７５を越えて雨水が浸入しても、雨水は水抜き用隙間７６を通って口枠部７の外に排出される。
【００８２】
口枠部７の底板部７２における内面７２ａが、前側に行く程下側に位置するように傾斜することが好ましい。
【００８３】
これにより、口枠部７の底板部７２における内面７２ａに付着した雨水が排出され易くなる。
【００８４】
縦面部７５が表札であることが好ましい。
【００８５】
これにより、表札と郵便受け１が一体になるので外観をシンプルにすることができる。
【００８６】
口枠部７の内側には、その上部で且つ縦面部７５よりも前方に配置され、縦面部７５に向かって発光する照明部８が設けられることが好ましい。
【００８７】
これにより、縦面部７５の表示が見え難くなるのを防ぐことができる。
【００８８】
照明部８は、口枠部７における左右方向と平行に配置される導光棒８１と、導光棒８１の左右方向の端面から光を入射させる光源８２と、を備える。照明部８では、導光棒８１における縦面部７５に向く面が出射面８１ｃであることが好ましい。
【００８９】
これにより、光源８２が点光源であったとしても、線状に発光させることができ、縦面部７５を効果的に照らすことができる。
【００９０】
照明部８では、光源８２が口枠部７に熱的に接続され、口枠部７を介して放熱する構成であることが好ましい。
【００９１】
これにより、光源８２が熱の影響を受けるのを防ぐことができる。
【符号の説明】
【００９２】
１    郵便受け
２    郵便受け本体
２１ａ  前開口
２３  側面部
２３ｂ  フラップ用軸部
３    フラップ
４    軸受け部
５    フラップ本体
５２  突出部
５２ｅ  傾斜面
７    口枠部
７４  投入口
７５  縦面部
７６  水抜き用隙間
８    照明部
８１  導光棒
８２  光源
９    筐体
【図１】
0006601751.tif 000002
【図２】
0006601751.tif 000003
【図３】
0006601751.tif 000004
【図４】
0006601751.tif 000005